(57)【特許請求の範囲】
【請求項１】
略球状の回転部材から成るとともに、表面が人体に押圧され得る回転体と、
前記回転体を回転自在に支持する支持部が先端に形成されるとともに、把持可能な把持部と、
を有し、前記把持部を把持しつつ前記回転体の表面を人体に押圧し得る押圧器具において、
前記把持部に収容され、前記回転体の少なくとも表面に微弱電流を流し得る電源と、
前記支持部に介装され、前記回転体を回転自在に支持するためのベアリングと、
を有し、前記支持部及び回転体の何れか一方に係止爪が形成され、他方に当該係止爪を係止可能な係止部が形成されるとともに、これら係止爪を係止部に係止することにより前記支持部が前記回転体と連結されて成り、前記回転体を前記支持部から取り外す方向に予め設定した設定荷重が付与されることにより、前記係止爪が破壊又は変形して当該回転体を支持部から取外し可能とされ、且つ、前記設定荷重は、前記回転体を人体に押圧する際に付与されるであろう荷重よりも大きく設定されたことを特徴とする押圧器具。
【発明の詳細な説明】
【技術分野】
【０００１】
本発明は、把持部を把持しつつ回転体の表面を美容等を目的として人体に押圧し得る押圧器具に関するものである。
【背景技術】
【０００２】
近時において、美容を目的とした美容用品が種々提供されるに至っており、その一つとして例えば略球状の回転部材から成る回転体と、把持可能とされるとともに回転体を回転自在に支持する支持部が先端に形成された把持部とを具備した押圧器具が提案されている。かかる押圧器具は、例えば顔面の皮膚に回転体の表面を押圧させつつ回転させ、所望部位に繰り返し押圧力を付与させるものとされている。
【０００３】
さらに、従来の押圧器具として、例えば回転体の表面に微弱電流を流し得るものも提案されており、その微弱電流を顔面の皮膚に及ぼすことにより美容効果をより高めるものとされていた。しかるに、従来の押圧器具は、把持部の先端に形成された支持部に回転体を嵌め込んだ後、接着剤等で接着させることにより当該回転体と把持部とを連結させていた。なお、かかる先行技術は、文献公知発明に係るものでないため、記載すべき先行技術文献情報はない。
【発明の概要】
【発明が解決しようとする課題】
【０００４】
しかしながら、上記従来の押圧器具においては、把持部の先端に形成された支持部に回転体を嵌め込んだ後、接着剤等で接着させることにより当該回転体と把持部とを連結させていたので、接着剤の塗布量のばらつきにより通電時の不具合や接着強度のばらつきが生じてしまう虞があった。すなわち、接着剤の塗布量が過多であると、接着剤がはみ出してしまって回転体に対する通電不良を生じさせてしまう虞があるとともに、接着剤の塗布量が過少であると、使用時に回転体が外れてしまう虞があった。また、接着剤を所定箇所に所定量塗布させる作業が必要とされることから、手間がかかってしまい、その分、製造コストが嵩んでしまうという問題もあった。
【０００５】
本発明は、このような事情に鑑みてなされたもので、回転体と把持部に形成された支持部との連結を容易に行わせることができるとともに、製造コストを抑えつつ回転体と支持部との連結強度のばらつきを抑制することができる押圧器具を提供することにある。
【課題を解決するための手段】
【０００６】
請求項１記載の発明は、略球状の回転部材から成るとともに、表面が人体に押圧され得る回転体と、前記回転体を回転自在に支持する支持部が先端に形成されるとともに、把持可能な把持部とを有し、前記把持部を把持しつつ前記回転体の表面を人体に押圧し得る押圧器具において、前記把持部に収容され、前記回転体の少なくとも表面に微弱電流を流し得る電源と、前記支持部に介装され、前記回転体を回転自在に支持するためのベアリングとを有し、前記支持部及び回転体の何れか一方に係止爪が形成され、他方に当該係止爪を係止可能な係止部が形成されるとともに、これら係止爪を係止部に係止することにより前記支持部が前記回転体と連結されて成り、前記回転体を前記支持部から取り外す方向に予め設定した設定荷重が付与されることにより、前記係止爪が破壊又は変形して当該回転体を支持部から取外し可能とされ、且つ、前記設定荷重は、前記回転体を人体に押圧する際に付与されるであろう荷重よりも大きく設定されたことを特徴とする。
【発明の効果】
【００１１】
請求項１の発明によれば、支持部及び回転体の何れか一方に係止爪が形成され、他方に当該係止爪を係止可能な係止部が形成されるとともに、これら係止爪を係止部に係止することにより支持部が回転体と連結されるので、回転体と支持部との連結を容易に行わせることができるとともに、製造コストを抑えつつ回転体と支持部との連結強度のばらつきを抑制することができる。
【００１２】
また、回転体を支持部から取り外す方向に予め設定した設定荷重が付与されることにより、係止爪が破壊又は変形して当該回転体を支持部から取外し可能とされたので、回転体と支持部との連結をより確実に行わせることができるとともに、回転体の支持部からの取外しを円滑に行わせることができる。
【００１３】
さらに、設定荷重は、回転体を人体に押圧する際に付与されるであろう荷重よりも大きく設定されたので、使用時に係止爪が破壊又は変形してしまって不用意に回転体が支持部から外れてしまうのを防止することができる。
【００１４】
またさらに、把持部には、電流を発生させ得る電源が収容されるとともに、回転体の少なくとも表面に電源からの微弱電流を流し得るので、回転体の押圧効果に加えて微弱電流による美容効果を期待することができる。
【００１５】
また、支持部には、回転体を回転自在に支持するためのベアリングが介装されたので、回転体の回転をより確実に行わせることができ、人体に対する回転体の押圧時においてより円滑な回転を行わせることができる。
【図面の簡単な説明】
【００１６】
【図１】本発明の実施形態に係る押圧器具を示す正面図及び側面図
【図２】図１におけるＩＩ−ＩＩ線断面図
【図３】同押圧器具における回転体を示す３面図
【図４】図３におけるＩＶ−ＩＶ線断面図
【図５】同押圧器具における支持部を示す３面図
【図６】同押圧器具における連結部材を示す３面図
【図７】図６におけるＶＩＩ−ＶＩＩ線断面図
【発明を実施するための形態】
【００１７】
以下、本発明の実施形態について図面を参照しながら具体的に説明する。
本実施形態に係る押圧器具は、美容を目的として顔面の皮膚を押圧しつつ微弱電流を付与可能とされたもので、図１、２に示すように、回転体１と、先端に支持部３が形成された把持部２と、係止爪４ａが形成された連結部材４と、一対のベアリング（５ａ、５ｂ）と、太陽光発電器７と、回転ボール８とから主に構成されている。
【００１８】
回転体１は、略球状の回転部材から成るとともに、表面が人体（例えば顔面の肌）に押圧され得るよう構成されている。かかる回転体１は、図３、４に示すように、表面部Ａと、ローラコア部Ｂと、ローラコアキャップ部Ｃとから成るもので、少なくとも表面部Ａが通電可能な導電性材料で構成されている。そして、後述する太陽光発電器７から供給される電流にて表面部Ａの表面に微弱電流が流れ得るようになっている。
【００１９】
また、回転体１は、図４に示すように、その下部から上方に向かって延びる挿通凹部１ｂが形成されており、当該挿通凹部１ｂに支持部３の先端側が挿通して連結可能とされている。なお、挿通凹部１ｂは、下部の開口から上方に向かって略直線状に形成されてローラコアキャップ部Ｃの凹部と連通した状態とされるとともに、当該挿通凹部１ｂの内周壁の所定位置には、段部から成る係止部１ａが形成されている。
【００２０】
把持部２は、回転体１を回転自在に支持する支持部３が先端に形成されるとともに、片手で握って把持可能な棒状部から成る。かかる把持部２には、太陽光を受けて発電し得る太陽光発電器７が内部に収容されるとともに、基端に回転ボール８が回転自在に配設されている。回転ボール８は、回転体１と同様、表面が人体（例えば顔面の肌）に押圧されるもので、当該回転体１より小径の球状の回転部材から成るとともに、太陽光発電器７から供給される電流にて表面に微弱電流が流れ得るようになっている。
【００２１】
支持部３は、回転体１の先端に取り付けられる金属製のシャフト状部材から成り、図５に示すように、周方向に亘って形成された溝形状３ａと、段形状３ｂとを有して構成されている。そして、支持部３が回転体１の先端に組み付けられて固定されると、図２に示すように、溝形状３ａにサークリップ６が取り付けられてベアリング５ａの抜け止めが図られるとともに、段形状３ｂにベアリング５ｂが当接して当該ベアリング５ｂの抜け止めが図られるようになっている。
【００２２】
連結部材４は、支持部３の先端側に取り付けられて回転体１と把持部２とを連結するための樹脂製の筒状部材から成り、図６、７に示すように、その両側面にそれぞれ係止爪４ａが形成されている。かかる係止爪４ａは、連結部材４と一体成形された部位から成り、当該連結部材４の側方に所定寸法突出するとともに、内側に向かって撓み得る爪状とされている。
【００２３】
すなわち、係止爪４ａは、通常状態において、連結部材４の側面から所定寸法突出した突出状態とされており、内側に向かって負荷が付与されると、内側に撓んで当該側面に没入した没入状態とされるのである。そして、連結部材４が支持部３の先端側に取り付けられた後、回転体１の挿通凹部１ｂに挿通される際、係止爪４ａは、当該挿通凹部１ｂの内周壁面で内側に押圧されて没入状態とされるとともに、係止部１ａの形成位置に達すると、突出状態に戻って当該係止部１ａと係止し得るようになっている。
【００２４】
また、連結部材４は、その中央部において長手方向に貫通した貫通孔４ｂが形成されており、当該貫通孔４ｂの内周壁部には、他の部位より大径とされた大径部４ｃ及び大径部４ｄがそれぞれ形成されている。そして、貫通孔４ｂに支持部３の先端側が挿通された状態において、大径部４ｃ、４ｄにそれぞれベアリング５ａ、５ｂが嵌め込まれるようになっている。これにより、連結部材４は、支持部３の先端側に取り付けられた状態で、ベアリング５ａ、５ｂにより当該支持部３に対して回転自在とされているのである。なお、ベアリング５ａ、５ｂは、ローラベアリングやニードルベアリング等、回転体１を回転支承し得るベアリングであれば何れの形態であってもよい。
【００２５】
本実施形態に係る係止爪４ａは、上述したように、連結部材４がベアリング５ａ、５ｂを介して支持部３の先端側に固定された状態で回転体１の挿通凹部１ｂに挿通されると、図２に示すように、係止部１ａと係止し、支持部３と回転体１とを連結し得るものとされている。これにより、回転体１は、把持部２に対して回転自在に支持されることとなり、把持部２を把持しつつ回転体１の表面を人体（顔面の肌）に押圧しつつ回転させることにより、美容によい影響が及ぼされるのを期待することができる。
【００２６】
また、本実施形態においては、把持部２には、電流を発生させ得る電源としての太陽光発電器７が収容されるとともに、回転体１の少なくとも表面に太陽光発電器７からの微弱電流を流し得るので、回転体１の押圧効果に加えて微弱電流による美容効果を期待することができる。さらに、支持部３には、回転体１を回転自在に支持するためのベアリング５ａ、５ｂが介装されたので、回転体１の回転をより確実に行わせることができ、人体に対する回転体１の押圧時においてより円滑な回転を行わせることができる。
【００２７】
ここで、本実施形態においては、回転体１を支持部３から取り外す方向に予め設定した設定荷重が付与されることにより、係止爪４ａが破壊又は変形して当該回転体１を支持部３から取外し可能とされている。しかして、回転体１を交換する際、設定荷重より大きな荷重で回転体１を引き抜けば、連結部材４の係止爪４ａを破壊又は変形させることにより、支持部３から取り外すことができるので、当該連結部材４を新たなものに交換して支持部３に取り付ければ、新たな回転体１を容易に取り付けることができる。
【００２８】
なお、本実施形態においては、設定荷重が係止爪４ａの突出寸法により設定されているが、係止爪の形状等で設定するようにしてもよい。また、本実施形態においては、係止爪４ａは、支持部３に取り付けられた連結部材４に形成され、回転体１に形成された係止部１ａと係止することにより支持部３が回転体１と連結されるよう構成されているが、係止爪を回転体１に形成するとともに当該係止爪を係止する係止部が支持部３に形成されるよう構成してもよい。
【００２９】
このように、本実施形態によれば、支持部３及び回転体１の何れか一方に係止爪が形成され、他方に当該係止爪を係止可能な係止部が形成されるとともに、これら係止爪を係止部に係止することにより支持部３が回転体１と連結されるので、回転体１と支持部３との連結を容易に行わせることができるとともに、製造コストを抑えつつ回転体１と支持部３との連結強度のばらつきを抑制することができる。
【００３０】
また、回転体１を支持部３から取り外す方向に予め設定した設定荷重が付与されることにより、係止爪４ａが破壊又は変形して当該回転体１を支持部３から取外し可能とされたので、回転体１と支持部３との連結をより確実に行わせることができるとともに、回転体１の支持部３からの取外しを円滑に行わせることができる。さらに、本実施形態においては、設定荷重は、回転体１を人体に押圧する際に付与されるであろう荷重よりも大きく設定されている。これにより、使用時に係止爪４ａが破壊又は変形してしまって不用意に回転体１が支持部３から外れてしまうのを防止することができる。
【００３１】
以上、本実施形態について説明したが、本発明はこれに限定されるものではなく、例えば太陽光発電器７に代えて乾電池等、他の電源を収容させて回転体１及び回転ボール８に電流を供給し得るものとしてもよい。勿論、回転ボール８を具備しないものとしてもよい。
【産業上の利用可能性】
【００３２】
把持部に収容され、回転体の少なくとも表面に微弱電流を流し得る電源と、支持部に介装され、回転体を回転自在に支持するためのベアリングとを有し、支持部及び回転体の何れか一方に係止爪が形成され、他方に当該係止爪を係止可能な係止部が形成されるとともに、これら係止爪を係止部に係止することにより支持部が回転体と連結されて成り、回転体を支持部から取り外す方向に予め設定した設定荷重が付与されることにより、係止爪が破壊又は変形して当該回転体を支持部から取外し可能とされ、且つ、設定荷重は、回転体を人体に押圧する際に付与されるであろう荷重よりも大きく設定された押圧器具であれば、外観形状が異なるもの或いは他の機能は付加されたもの等にも適用することができる。
【符号の説明】
【００３３】
１  回転体
１ａ  係止部
２  把持部
３  支持部
４  連結部材
４ａ  係止爪
５ａ、５ｂ  ベアリング
６  サークリップ
７  太陽光発電器
【図１】
0005985244.tif 000002
【図２】
0005985244.tif 000003
【図３】
0005985244.tif 000004
【図４】
0005985244.tif 000005
【図５】
0005985244.tif 000006
【図６】
0005985244.tif 000007
【図７】
0005985244.tif 000008